(57)【特許請求の範囲】
【請求項１】
データキャリアを付した対象物を収納するキャリアケースであって、データキャリアに記憶したデータを読み取る装置を挿入する開口溝を設けてあり、該対象物を振り分ける仕切り板を１枚もしくは複数枚有し、該対象物をキャリアケースへ挿入する時には仕切り板を垂直にして該対象物を挿入し、データキャリアのデータを読み取る時に該仕切り板を斜めにする機構を有することを特徴とするキャリアケース。
【請求項２】
データキャリアを付した対象物を収納するキャリアケースであって、データキャリアに書き込まれているデータを読み取る装置を挿入する開口溝を有し、キャリアケースと仕切り部とが任意の角度で傾斜しており、該対象物を傾斜させた状態で該データキャリアの情報を読み取る移動可能な読取装置を備えることが可能であることを特徴とするキャリアケース。
【請求項３】
データキャリアを付した対象物を収納するキャリアケース内に、該対象物を区分けする仕切り板を１枚もしくは複数枚有し、該対象物をキャリアケースへ挿入する時には該仕切り板を垂直にして該対象物を挿入し、読取装置がデータキャリアを読取る時には該仕切り板を斜めにすることを特徴とするデータキャリア情報の読取り方法。
【請求項４】
データキャリアを付した対象物を収納するキャリアケースを用いたデータキャリア情報の読取り方法であって、前記キャリアケースは、側面に、前記データキャリアに記憶したデータを読み取るデータ読取り装置を挿入する開口溝が設けられており、前記データ読取り装置を、前記対象物に付した前記データキャリアが並んでいる方向へ移動させ、該対象物を該キャリアケースに挿入する場合と該データキャリアから情報を読み取る場合とで該対象物を区分けする区分け手段を移動させることを特徴とするデータキャリア情報の読取り方法。
【請求項５】
データキャリアを付した対象物を収納する収納装置であって、該データキャリアに記憶したデータを読み取るデータ読取装置を設けてあり、該対象物の間に設けた仕切り板を１枚もしくは複数枚有し、該対象物を該収納装置へ受け入れる時には仕切り板を垂直にして該対象物を該収納装置内に入れるようにし、該データキャリアのデータを読み取る時に該仕切り板を任意の角度で傾斜させ、前記データ読取装置を読取開始位置から読取終了位置まで移動させる機構を有することを特徴とするデータキャリア用収納装置。
【請求項６】
データキャリアを付した対象物を収納する収納装置であって、該データキャリアに記憶したデータを読み取る装置を備えており、該収納装置と仕切り部とが任意の角度で傾斜しており、該対象物を傾斜させた状態で該データキャリアの情報を読み取る移動可能な情報読取装置を備えたことを特徴とする無線データキャリア用収納装置。
【発明の詳細な説明】
【０００１】
【発明の属する技術分野】
本発明は、紙葉類またはカード等に付した無線データキャリア（ＲＦＩＤ）からデータを正確に読み取り、通数を数え、照合する処理方法に係わり、特に、無線データキャリアからのデータの読み取りを正確に行なう読取装置としてのキャリアケースに関する。
【０００２】
【従来の技術】
従来、バーコードを用いて商品管理が為されていたが識別能力、情報記憶量の点で不十分であった。そこで、ある対象物に関する情報を記憶し、対象物に付けることが可能な無線データキャリアを用いる方式が知られるようになった。
【０００３】
【発明が解決しようとする課題】
従来技術における無線データキャリアを添付もしくは漉き込んだ紙葉類またはカード等を複数枚重ねた状態では、電波の干渉等により、正確に読み取るには枚数が限られている。
【０００４】
本発明の目的は、従来の紙葉類またはカード等の査数・照合作業にかかる工数を大幅に削減する方法を提供することにある。
【０００５】
【課題を解決するための手段】
本発明は、データ記憶手段とデータの通信手段からなるデータキャリアを付した紙葉類またはカード等を収納することが可能なキャリアケースにおいて、キャリアケースにデータキャリアを読み取る装置を挿入する開口部を設け、データキャリアからのデータを読み取る装置をキャリアケースに設け、データキャリアからデータを接触もしくは非接触によって読み取る手段を有する。キャリアケース内には可動式の仕切り板を有し、無線データキャリアを付した紙葉類をキャリアケースに収納する際には、該仕切り板を垂直にし、無線データキャリアを付した紙葉類を滑らかに収納する手段を有し、無線データキャリアのデータを読み取る際には、読み取り装置は、無線データキャリアからのデータを接触もしくは、非接触によって読み取ることができるように仕切り板を任意の角度で斜めに移動する手段を有する。
本発明では、無線データキャリアを添付もしくは漉き込んだ紙葉類またはカード等をキャリアケースに収納し、無線データキャリアを添付もしくは漉き込んだ紙葉類ならびにカード等をキャリアケースから外に取り出すことなく、無線データキャリアからデータを正確に読み取る装置に特徴がある。ここで、漉き込むとは、一枚の紙やカードにデータキャリアを埋め込むことをいう。
【０００６】
【発明の実施の形態】
以下、図面を用いて本発明の実施例を説明する。
【０００７】
図１は、本発明の無線データキャリアシステムの構成を示す。
１はキャリアケースであり、図２に示すように無線データキャリア４を付している紙葉類ならびカード６等をキャリアケース１へ投入する開口部としての投入部１２、任意の角度で傾斜する仕切板／回転板１３、図１６に示すように無線データキャリア４のデータ記憶部に書き込まれている情報を読み取る装置２の通過する溝１４を備える。２は無線データキャリア４のデータ記憶部に書き込まれている情報を読み取る装置であり、２１は読取装置のデータ読取部であり、無線データキャリア４からのデータを読み取る装置である。２２はデータ記憶部、２３は通信部である。ここで、無線データキャリア４は、図示していないが無線データキャリアの識別子等を記憶したデータ記憶部と記憶したデータを読取装置４に対して発信するデータ通信部とを備える。
【０００８】
２４は、通信部２３と情報処理装置３との間で通信をする通信経路である。
【０００９】
３は情報処理装置であり、３１は通信部、３２は情報処理部である。
【００１０】
図２は、無線データキャリアと紙葉類またはカード等を示す。４は無線データキャリア、５は紙葉類またはカード等、６は無線データキャリアを付した紙葉類ならびにカード等を示す。
【００１１】
図３は、キャリアケースを示し、１はキャリアケース、１３は任意の角度で傾斜する仕切板／回転板である。この例では、投入部１２としてキャリアケース１の上部に開口部を設けており、開口部から紙葉類またはカード５等をキャリアケース１内に配置する。
【００１２】
図４は、図３の状態にあるキャリアケース１に、無線データキャリア４が添付もしくは漉き込まれている紙葉類またはカード等６を投入した状態を示す。紙葉類ならびカード等６は、互いに接触しており、紙葉類またはカード等６は、仕切板／回転板１３にも接触している。図面では、見やすくする為に、接触していないように見せているだけである。
【００１３】
図５は、図４の状態にあるキャリアケース１に、無線データキャリア４が添付もしくは漉き込まれている紙葉類またはカード等６を投入した後、読取開始時に、任意の角度で傾斜する仕切板／回転板１３を傾斜させ、無線データキャリア４のデータ記憶部に書き込まれている情報を読み取る装置を読取開始位置２４から読取終了位置２５まで移動させ、無線データキャリア４に記憶されている情報の読取を終了した図である。無線データキャリア４は、紙葉類またはカード等６の読取り装置２側に添付することで、読取り感度が良くなる。
【００１４】
図６は、キャリアケースを示し、１はキャリアケース、１３は任意の角度で傾斜する仕切板／回転板である。
【００１５】
図７は、図６の状態にあるキャリアケース１に、無線データキャリア４が添付もしくは漉き込まれている紙葉類またはカード等６を投入した状態を示す。
【００１６】
図８は、図７の状態にあるキャリアケース１に、無線データキャリア４が添付もしくは漉き込まれている紙葉類またはカード等６を投入した後、読取開始時に、任意の角度で傾斜する仕切板／回転板１３を傾斜させ、無線データキャリア４のデータ記憶部に書き込まれている情報を読み取る装置２を読取開始位置２４から読取終了位置２５まで移動させ、無線データキャリア４に記憶されている情報の読取を終了した図である。
【００１７】
図９は、キャリアケースを示し、１はキャリアケース、１３は任意の角度で傾斜している仕切板である。この例では、キャリアケース１自体も傾斜している。その仕切り板に紙葉類などを接触させる。よって、読取り装置２の移動方向（図１１を参照）と垂直な方向に対して任意の角度で紙葉類が傾斜しているので、その紙葉類に添付もしくは漉き込まれている無線データキャリア４からの情報を感度良く読取装置２が読取れる。
【００１８】
図１０は、図９の状態にあるキャリアケース１に、無線データキャリア４が添付もしくは漉き込まれている紙葉類またはカード等６を投入した状態を示す。
【００１９】
図１１は、図１０の状態にあるキャリアケース１に、無線データキャリア４が添付もしくは漉き込まれている紙葉類またはカード等６を投入した後、無線データキャリア４のデータ記憶部に書き込まれている情報を読み取る装置２を読取開始位置２４から読取終了位置２５まで移動させ、複数の無線データキャリア４に記憶されている情報の読取を終了した図である。
【００２０】
図１２は、キャリアケースを示し、１は傾斜したキャリアケース、１３は任意の角度で傾斜できる仕切板である。
【００２１】
図１３は、図１２の状態にあるキャリアケース１に、無線データキャリア４が添付もしくは漉き込まれている紙葉類またはカード等６を投入した状態を示す。
【００２２】
図１４は、図１３の状態にあるキャリアケース１に、無線データキャリア４が添付もしくは漉き込まれている紙葉類またはカード等６を投入した後、無線データキャリア４のデータ記憶部に書き込まれている情報を読み取る装置を読取開始位置２４から読取終了位置２５まで移動させ、無線データキャリア４に記憶されている情報の読取を終了した図である。
図１５は、複数の対象物６ａ、６ｂ、６ｃ、６ｄ、６eのそれぞれに、データキャリア４ａ、４ｂ、４ｃ、４ｄ、４ｅを添付させておき、データ読取り装置２との間で対象物からのデータを読取るデータキャリア読取りシステムを示す図である。７ａから７eは、データキャリア４と読取り装置２との間の伝送路を示す。
【００２３】
無線データキャリア４には、それぞれの無線データキャリアが付けられた対象物に対応した識別子を記憶させておき、その識別子を発信する発信部を無線データキャリア４に備えることで、データ読取り装置２から識別子を読取ることができる。識別子は、例えば、連続番号でもよい。図１に示したように、情報読取り装置２には、読取り部２１と、データ記憶部２２と、通信部２３とを備えており、データ記憶部２２に読取った識別子を記憶する。通信部は、ネットワーク２４等を通じてパーソナルコンピュータ３と接続し、読取った識別子を伝送する。パーソナルコンピュータ３では、識別子毎に読取ったかどうかを管理しておく。読取り装置２を複数台設けた場合には、どの読取り装置２まで読取っているかを管理できる。対象物が小包といったように流通される場合は、上記した識別番号を用いて、識別子に対応した対象物の流通経路を管理できる。
【００２４】
また、本発明を郵便業務における書留郵便物等の記録扱い郵便物の運用へ適用した場合、本発明で記述している小型の機械・装置であれば、郵便局内の特殊室という小さな部屋への配備が可能となる。
【００２５】
図１６は、上面からデータキャリア４と読取り装置２を見た図面である。キャリアケースは、側面に開口溝１４が設けられており、読取り装置２を、紙葉類６に付けたデータキャリア４が並んでいる方向へ移動する。読取り装置２とデータキャリア４とは接触させてもよいし、非接触の状態で読取り装置２を移動させてもよい。この実施例では、読取り装置側を移動しているが、キャリアケース側を移動させても良い。図１７は、キャリアケース側を矢印１７０に示すように移動する例を示す図である。この例では、無線データキャリア４（ＲＦＩＤ）を添付もしくは漉き込んだ書留郵便物６を専用キャリアケース１に投入している。
無線データキャリア４のデータ記憶部に書き込まれている情報を読み取る読取装置２の上で、専用キャリアケース１を平行移動させ、無線データキャリア４からデータを正確に読み取り、書留郵便物の枚数を数えて、所定枚数の読み取りができたかを照合する。
【００２６】
【発明の効果】
本発明では、デーキャリア４を添付もしくは漉き込んだ紙葉類またはカード６等をキャリアケースから取り出すことなく、データキャリアからデータを正確に読み取り紙葉類などの枚数を数え、照合する処理ができる効果がある。
【図面の簡単な説明】
【図１】本発明における無線データキャリアシステムの実施例構成を示す図。
【図２】本発明の無線データキャリア、無線データキャリアを添付もしくは漉き込ませる紙葉類、無線データキャリアを添付もしくは漉き込ませた状態の紙葉類を示す図。
【図３】本発明のキャリアケースの概略図を示し、紙葉類等が投入されていない状態を示す図。
【図４】本発明のキャリアケースの概略図を示し、紙葉類等が投入された状態を示す図。
【図５】本発明のキャリアケースの概略図を示し、読取開始から読取終了までの状態を示す図。
【図６】本発明のキャリアケースの概略図を示し、紙葉類等が投入されていない状態を示す図。
【図７】本発明のキャリアケースの概略図を示し、紙葉類等が投入された状態を示す図。
【図８】本発明のキャリアケースの概略図を示し、読取開始から読取終了までの状態を示す図。
【図９】本発明のキャリアケースの概略図を示し、紙葉類等が投入されていない状態を示す図。
【図１０】本発明のキャリアケースの概略図を示し、紙葉類等が投入された状態を示す図。
【図１１】本発明のキャリアケースの概略図を示し、読取開始から読取終了までの状態を示す図。
【図１２】本発明のキャリアケースの概略図を示し、紙葉類等が投入されていない状態を示す図。
【図１３】本発明のキャリアケースの概略図を示し、紙葉類等が投入された状態を示す図。
【図１４】本発明のキャリアケースの概略図を示し、読取開始から読取終了までの状態を示す図。
【図１５】無線データキャリアと該データキャリアからの情報を読み取る装置を含む本発明のデータキャリアシステムの実施例を示す図。
【図１６】本発明に係わるキャリアケースの斜視図である。
【図１７】移動可能なキャリアケースとデータキャリアからの情報を読み取る装置とからなる本発明の実施例を示す図。
【図１】
0004677680.tif 000002
【図２】
0004677680.tif 000003
【図３】
0004677680.tif 000004
【図４】
0004677680.tif 000005
【図５】
0004677680.tif 000006
【図６】
0004677680.tif 000007
【図７】
0004677680.tif 000008
【図８】
0004677680.tif 000009
【図９】
0004677680.tif 000010
【図１０】
0004677680.tif 000011
【図１１】
0004677680.tif 000012
【図１２】
0004677680.tif 000013
【図１３】
0004677680.tif 000014
【図１４】
0004677680.tif 000015
【図１５】
0004677680.tif 000016
【図１６】
0004677680.tif 000017
【図１７】
0004677680.tif 000018